(57)【要約】【課題】コンテンツの劣化を最小限に抑えて人体に悪影響を及ぼすコンテンツを安全なコンテンツに変換することが可能なコンテンツ変換装置を提供する。【解決手段】ユーザの状態を監視し、ユーザの状態を表すユーザ状態データを取得するユーザ状態監視手段１２と、ユーザの状態に対応したコンテンツ制御方法を規定するルールデータを蓄積したルールデータ蓄積手段（ルールＤＢ１３）と、ユーザ状態監視手段１２で取得したユーザ状態データに応じて、ルールＤＢ１３で蓄積されたルールデータを参照して、そのユーザの身体に悪影響のあるコンテンツを、その悪影響を低減するように変換するコンテンツ制御手段２４と、を備える。【選択図】図１
2006115370.tif 000002
【特許請求の範囲】
【請求項１】
ユーザの状態を監視し、該ユーザの状態を表すユーザ状態データを取得するユーザ状態監視手段と、ユーザの状態に対応したコンテンツ制御方法を規定するルールデータを蓄積したルールデータ蓄積手段と、前記ユーザ状態監視手段で取得したユーザ状態データに応じて、前記ルールデータ蓄積手段で蓄積されたルールデータを参照して、前記ユーザの身体に悪影響のあるコンテンツを、該悪影響を低減するように変換するコンテンツ制御手段と、を備えたことを特徴とするコンテンツ変換装置。
【請求項２】
前記ユーザ状態監視手段で取得したユーザ状態データを、前記コンテンツ制御手段で変換した後のコンテンツと関連付けて蓄積するユーザ状態蓄積手段と、該ユーザ状態蓄積手段で蓄積されたユーザ状態データ及び変換後のコンテンツから、ユーザの状態と変換後のコンテンツとの因果関係を解析するコンテンツ解析手段と、をさらに備えたことを特徴とする請求項１に記載のコンテンツ変換装置。
【請求項３】
前記コンテンツ解析手段で解析した因果関係を前記ルールデータ蓄積手段におけるルールデータとして反映する手段をさらに備えたことを特徴とする請求項２に記載のコンテンツ変換装置。
【請求項４】
請求項１乃至３のいずれか１項に記載のコンテンツ変換装置を備え、入力されたコンテンツに対し前記コンテンツ変換装置で変換してから再生することを特徴とするコンテンツ再生装置。
【請求項５】
ユーザの状態を監視し、該ユーザの状態を表すユーザ状態データを取得するユーザ状態監視ステップと、ユーザの状態に対応したコンテンツ制御方法を規定するルールデータを蓄積するルールデータベースにアクセスし、前記ユーザ状態監視ステップで取得したユーザ状態データに応じて、前記ルールデータベースに蓄積されたルールデータを参照して、前記ユーザの身体に悪影響のあるコンテンツを、該悪影響を低減するように変換するコンテンツ制御ステップと、を含んでなることを特徴とするコンテンツ変換方法。
【請求項６】
前記ユーザ状態監視ステップで取得したユーザ状態データを、前記コンテンツ変換ステップで変換した後のコンテンツと関連付けて蓄積するユーザ状態蓄積ステップと、該蓄積されたユーザ状態データ及び変換後のコンテンツから、ユーザの状態と変換後のコンテンツとの因果関係を解析するコンテンツ解析ステップと、をさらに含んでなることを特徴とする請求項５に記載のコンテンツ変換方法。
【請求項７】
前記コンテンツ解析ステップで解析した因果関係を、前記ルールデータベースにおけるルールデータとして反映するステップをさらに含んでなることを特徴とする請求項６に記載のコンテンツ変換方法。
【請求項８】
請求項５乃至７のいずれか１項に記載のコンテンツ変換方法を含み、入力されたコンテンツに対し前記コンテンツ変換方法で変換してから再生することを特徴とするコンテンツ再生方法。
【請求項９】
コンピュータを、ユーザの状態を測定機器にて監視した結果を入力する監視結果入力手段と、ユーザの状態に対応したコンテンツ制御方法を規定するルールデータを蓄積するルールデータ蓄積手段と、前記監視結果入力手段により入力されたユーザの状態に応じて、前記ルールデータ蓄積手段に蓄積されたルールデータを参照して、前記ユーザの身体に悪影響のあるコンテンツを、該悪影響を低減するように変換するコンテンツ制御手段と、の各手段として機能させることを特徴とするコンテンツ変換プログラム。
【請求項１０】
コンピュータを、前記監視結果入力手段により入力されたユーザ状態データを、前記コンテンツ制御手段で変換した後のコンテンツと関連付けて蓄積するユーザ状態蓄積手段と、該ユーザ状態蓄積手段で蓄積されたユーザ状態データ及び変換後のコンテンツから、ユーザの状態と変換後のコンテンツとの因果関係を解析するコンテンツ解析手段と、の各手段として機能させるためのプログラムをさらに含むことを特徴とする請求項９に記載のコンテンツ変換プログラム。
【請求項１１】
コンピュータを、前記コンテンツ解析手段で解析した因果関係を前記ルールデータ蓄積手段におけるルールデータとして反映する手段として、機能させるためのプログラムをさらに含むことを特徴とする請求項１０に記載のコンテンツ変換プログラム。
【請求項１２】
請求項９乃至１１のいずれか１項に記載のコンテンツ変換プログラムを記録したコンピュータ読み取り可能な記録媒体。
【発明の詳細な説明】
【技術分野】
【０００１】
本発明は、コンテンツ変換装置、コンテンツ再生装置、方法、プログラム、及び記録媒体に関し、より詳細には、人体に悪影響を及ぼすコンテンツを無害にするようコンテンツを変換するコンテンツ変換装置、該装置を備えたコンテンツ再生装置、コンテンツ変換方法、コンテンツ再生方法、コンテンツ変換プログラム、及び該プログラムを記録したコンピュータ読み取り可能な記録媒体に関する。
【背景技術】
【０００２】
近年、テレビジョン受信機をはじめ、ビデオプレーヤ，ＤＶＤプレーヤ，ＭＰ３プレーヤ、さらには各種コンテンツを再生可能なコンピュータなど、様々なコンテンツ再生装置の開発により、視聴者はアナログ，デジタルを問わず膨大な数のコンテンツを視聴可能となっている。視聴可能なコンテンツの数は、ネットワークシステムのブロードバンド化やコンテンツの種類の増加、さらにはコンテンツ再生装置の各種コンテンツへの対応が進むに連れて増加している。
【０００３】
視聴者が視聴可能なコンテンツの数が増加するに従い、人体に悪影響を与えるコンテンツも必然的に増えてきている。人体に悪影響のあるコンテンツとしては、具体的に、３垂直走査期間の明るい画像と３垂直走査期間の暗い画像とを繰り返し有する映像シーン、画面全体が周期的に明暗を繰り返す映像シーン、赤と青とを周期的に繰り返す映像シーンなどを含むコンテンツが挙げられる。
【０００４】
人体に悪影響を与えるコンテンツの増加に伴い、そのようなコンテンツを無害にするための装置が提案されている（例えば、特許文献１を参照）。特許文献１には、画像を表示するＴＶ受像機などの映像機器に対して映像送信機から送られる映像信号を変換する映像信号の特徴変換装置が記載されている。
【０００５】
図６は、特許文献１に記載の映像信号の特徴変換装置を示すブロック構成図で、図中、４は映像信号の特徴変換装置である。映像信号の特徴変換装置４は、振幅判別回路４１，周期判別回路４２，サンプリングウィンドウ信号発生回路４３，変換回路４４を備える。サンプリングウィンドウ信号発生回路４３は、入力映像信号をサンプリングする信号を発生する。振幅判別回路４１は、そのサンプリング信号に応じて映像信号をサンプリングし、垂直走査期間毎の積分値に基づいて１フィールド毎又は１フレーム毎の映像レベルの変化を検出し、映像レベルの変化が所定レベルを越えた時リセットパルスを出力する。周期判別回路４２は、２つのリセットパルスの時間間隔を測定し、所定期間より短い時コントロール信号を出力する。変換回路４４は、コントロール信号に応じて映像シーンを変換する。
【０００６】
特許文献１に記載の映像信号の特徴変換装置は、上述のごとき構成により、映像レベルとその周期とを監視することにより、映像信号が、強いフラッシング、すなわち視聴者にとって精神的及び／又は肉体的に悪影響を及ぼす原因となる可能性を有する画像を含むかを判断し、有害である場合には、コントラスト低減又はブランキングの処理を用いて映像信号を無害なレベルに変換することで、視聴者により影響のない画像に変換する。
【特許文献１】特表２００２−５２１９２２号公報
【発明の開示】
【発明が解決しようとする課題】
【０００７】
しかしながら、上述の装置のごとく映像レベルとその周期を監視する方法では、危険度が視聴者ごとに異なる場合、全ての視聴者が安全に視聴するためには、最も影響を受けやすい視聴者に合わせて映像を変換する必要がある。そのため、影響を受けにくい視聴者に対して必要以上にコンテンツを劣化させてしまう。
【０００８】
本発明は、上述のごとき実情に鑑みてなされたものであり、コンテンツの劣化を最小限に抑えて人体に悪影響を及ぼすコンテンツを安全なコンテンツに変換することが可能な、コンテンツ変換装置、コンテンツ変換方法、コンテンツ変換プログラム、及び該プログラムを記録したコンピュータ読み取り可能な記録媒体を提供すること、並びに、このコンテンツ変換装置を備え無害なコンテンツのみを再生することが可能なコンテンツ再生装置、及びこのコンテンツ変換方法を含み無害なコンテンツのみを再生するコンテンツ再生方法を提供することをその目的とする。
【課題を解決するための手段】
【０００９】
本発明は、上述のごとき課題を解決するために、以下の各技術手段により構成される。
第１の技術手段は、ユーザの状態を監視し、該ユーザの状態を表すユーザ状態データを取得するユーザ状態監視手段と、ユーザの状態に対応したコンテンツ制御方法を規定するルールデータを蓄積したルールデータ蓄積手段と、前記ユーザ状態監視手段で取得したユーザ状態データに応じて、前記ルールデータ蓄積手段で蓄積されたルールデータを参照して、前記ユーザの身体に悪影響のあるコンテンツを、該悪影響を低減するように変換するコンテンツ制御手段と、を備えたことを特徴とするコンテンツ変換装置である。
【００１０】
第２の技術手段は、第１の技術手段において、前記ユーザ状態監視手段で取得したユーザ状態データを、前記コンテンツ制御手段で変換した後のコンテンツと関連付けて蓄積するユーザ状態蓄積手段と、該ユーザ状態蓄積手段で蓄積されたユーザ状態データ及び変換後のコンテンツから、ユーザの状態と変換後のコンテンツとの因果関係を解析するコンテンツ解析手段と、をさらに備えたことを特徴としたものである。
【００１１】
第３の技術手段は、第２の技術手段において、前記コンテンツ解析手段で解析した因果関係を前記ルールデータ蓄積手段におけるルールデータとして反映する手段をさらに備えたことを特徴としたものである。
【００１２】
第４の技術手段は、第１乃至第３のいずれかの技術手段におけるコンテンツ変換装置を備え、入力されたコンテンツに対し前記コンテンツ変換装置で変換してから再生することを特徴とするコンテンツ再生装置である。
【００１３】
第５の技術手段は、ユーザの状態を監視し、該ユーザの状態を表すユーザ状態データを取得するユーザ状態監視ステップと、ユーザの状態に対応したコンテンツ制御方法を規定するルールデータを蓄積するルールデータベースにアクセスし、前記ユーザ状態監視ステップで取得したユーザ状態データに応じて、前記ルールデータベースに蓄積されたルールデータを参照して、前記ユーザの身体に悪影響のあるコンテンツを、該悪影響を低減するように変換するコンテンツ制御ステップと、を含んでなることを特徴とするコンテンツ変換方法である。
【００１４】
第６の技術手段は、第５の技術手段において、前記ユーザ状態監視ステップで取得したユーザ状態データを、前記コンテンツ変換ステップで変換した後のコンテンツと関連付けて蓄積するユーザ状態蓄積ステップと、該蓄積されたユーザ状態データ及び変換後のコンテンツから、ユーザの状態と変換後のコンテンツとの因果関係を解析するコンテンツ解析ステップと、をさらに含んでなることを特徴としたものである。
【００１５】
第７の技術手段は、第６の技術手段において、前記コンテンツ解析ステップで解析した因果関係を、前記ルールデータベースにおけるルールデータとして反映するステップをさらに含んでなることを特徴としたものである。
【００１６】
第８の技術手段は、第５乃至第７のいずれかの技術手段におけるコンテンツ変換方法を含み、入力されたコンテンツに対し前記コンテンツ変換方法で変換してから再生することを特徴とするコンテンツ再生方法である。
【００１７】
第９の技術手段は、コンピュータを、ユーザの状態を測定機器にて監視した結果を入力する監視結果入力手段と、ユーザの状態に対応したコンテンツ制御方法を規定するルールデータを蓄積するルールデータ蓄積手段と、前記監視結果入力手段により入力されたユーザの状態に応じて、前記ルールデータ蓄積手段に蓄積されたルールデータを参照して、前記ユーザの身体に悪影響のあるコンテンツを、該悪影響を低減するように変換するコンテンツ制御手段と、の各手段として機能させることを特徴とするコンテンツ変換プログラムである。
【００１８】
第１０の技術手段は、第９の技術手段において、コンピュータを、前記監視結果入力手段により入力されたユーザ状態データを、前記コンテンツ制御手段で変換した後のコンテンツと関連付けて蓄積するユーザ状態蓄積手段と、該ユーザ状態蓄積手段で蓄積されたユーザ状態データ及び変換後のコンテンツから、ユーザの状態と変換後のコンテンツとの因果関係を解析するコンテンツ解析手段と、の各手段として機能させるためのプログラムをさらに含むことを特徴としたものである。
【００１９】
第１１の技術手段は、第１０の技術手段において、コンピュータを、前記コンテンツ解析手段で解析した因果関係を前記ルールデータ蓄積手段におけるルールデータとして反映する手段として、機能させるためのプログラムをさらに含むことを特徴としたものである。
【００２０】
第１２の技術手段は、第９乃至第１１のいずれかの技術手段におけるコンテンツ変換プログラムを記録したコンピュータ読み取り可能な記録媒体である。
【発明の効果】
【００２１】
本発明によれば、コンテンツの劣化を最小限に抑えて人体に悪影響を及ぼすコンテンツを安全なコンテンツに変換することが可能となる。
【発明を実施するための最良の形態】
【００２２】
本発明に係るコンテンツ変換装置は、ユーザの状態を監視し、ユーザに合わせてコンテンツを無害化する装置であり、その無害化は、人体に悪影響を及ぼすコンテンツから人体に悪影響を及ぼす情報を低減させるようにコンテンツを変換することで行う。従って、本発明に係るコンテンツ変換装置は、コンテンツ無害化装置或いはコンテンツ人体悪影響低減装置とも謂える。また、以下の説明では、本発明に係るコンテンツ変換処理を主として説明するが、入力したコンテンツをこのコンテンツ変換処理を介して再生するコンテンツ再生装置も、本発明として採用できる。このコンテンツ再生装置としては、コンテンツを再生して表示する情報機器或いは他のモニタに出力する情報機器であればよく、以下に説明するコンテンツ変換装置を備え、入力されたコンテンツに対しコンテンツ変換装置で変換してからコンテンツ再生手段により再生を実行するものとする。また、以下に説明するコンテンツ変換装置の一部（少なくとも測定手段は除く）を、ＤＶＤプレーヤ等のコンテンツ再生装置におけるＬＳＩ（Ｌａｒｇｅ  Ｓｃａｌｅ  Ｉｎｔｅｇｒａｔｅｄ  Ｃｉｒｃｕｉｔ）などに組み込む形態も採用できる。同様に、コンテンツ再生方法としては、以下に説明するコンテンツ変換方法を含んでなり、入力されたコンテンツに対しこのコンテンツ変換方法でコンテンツを変換してから再生を実行するものとする。
【００２３】
図１は、本発明の一実施形態に係るコンテンツ変換装置の一構成例を示す図で、図２は、図１のコンテンツ変換装置におけるコンテンツ変換処理の一例を説明するためのフロー図で、本発明の一実施形態に係るコンテンツ変換方法の一例を説明するためのフロー図でもある。図１において、１はコンテンツ変換装置、１１はコンテンツ入力手段、１２はユーザ状態監視手段、１３はルールデータベース（以下、ルールＤＢという）、１４はコンテンツ制御手段、１５はコンテンツ出力手段である。
【００２４】
本発明の一実施形態に係るコンテンツ変換装置１は、ユーザ状態監視手段１２、ルールデータ蓄積手段（ルールＤＢ１３で例示）、及びコンテンツ制御手段１４を備えるものとする。ユーザ状態監視手段１２は、ユーザの状態を計測する手段であり、ここで計測するユーザの状態とは、基本的にコンテンツが与えるものであるとの因果関係が既知或いは予想される測定項目を指すものとする。
【００２５】
ユーザ状態監視手段１２は、ユーザの状態を計測し、ユーザの状態を表すユーザ状態データ（ユーザ状態の各パラメータ）を取得する。計測するデータには、ρｍａｘ、脳波のβ波、体の表面温度、縮瞳率、加速度脈波などがあり、これらの値や微分値、積分値などがユーザ状態の各パラメータとなる。ユーザ状態監視手段１２としては、測定機器をユーザの身体に取り付けるものであっても、外部からユーザの身体を測定するものであってもよい。また、測定機器として、コンテンツ変換装置１（又はそれを備えたコンテンツ再生装置）のリモートコントローラなどに設置するものであってもよく、コンテンツを再生する操作或いは装置をオンにする操作によってデータ計測が行えるようにするとなおよい。
【００２６】
入力されるコンテンツのうち人体に悪い影響を与えるものとして、例えば画面全体が特定の繰り返し周波数で点滅する映像がある。例えば、ユーザ状態監視手段としてρｍａｘ測定システムを用いる。ρｍａｘとは血圧と心拍数の振幅及び位相の乱れより算出される最大相互相関係数であり、生理的・心理的・精神的状態を反映して変化する。人体に悪い影響があると、ρｍａｘが低くなる。この現象を利用してユーザに合わせて、コンテンツを加工することができる。ρｍａｘ測定システムでは、０．１Ｈｚ近傍のＭａｙｅｒ波帯域における血圧から心拍数までの相互相関係数の最大値ρｍａｘを経時的に算出するが、ρｍａｘは、光電脈波計及び心電計を用い、脈波伝達時間及び心拍数を得て、Ｍａｙｅｒ波帯域通過フィルタを通過させてコンピュータ等で演算される。ここで、Ｍａｙｅｒ波帯域通過フィルタ後の脈波伝達時間は血圧と反比例することを用いている。なお、他のユーザ状態監視手段としては、光などによる脳波測定システム（近赤外光トポグラフィ法など）や瞳孔計など、様々な例が挙げられる。
【００２７】
ルールデータ蓄積手段は、ユーザの状態に対応したコンテンツ制御方法を規定するルールデータを蓄積したものである。ルールデータ蓄積手段の例として、ルールＤＢ１３及びその記憶装置が挙げられる。ルールＤＢ１３は、ユーザ状態に応じてコンテンツを人体に悪影響の少ないように変換するためのルールが格納されるデータベースであり、例えば、ルールＤＢ１３には、コンテンツの特徴量に対する変換パラメータが登録されている。変換パラメータはユーザの状態の各パラメータによって規定されている。コンテンツの特徴量とは、例えば映像の輝度，コントラスト，輝度変化の周波数，画面の移動速度，画面の揺れ量，画面の振動の周波数，バイブレータの振動周波数，振動時間などである。なお、ルールＤＢ１３等の本明細書中の各種ＤＢは、その構成上別々のものでも一体型のものでもよく、装置１の本体とはネットワークを介して離間させた形態を採用してもよく、要は、それらのＤＢの機能がはたせる形態であればよい。
【００２８】
コンテンツ制御手段１４は、ユーザ状態監視手段１２で取得したユーザ状態データに応じて、ルールＤＢ１３に蓄積されたルールデータを参照して、そのユーザの身体に悪影響のあるコンテンツを、悪影響を低減するように変換する。このように、コンテンツ制御手段１４による変換は、ユーザの身体に悪影響のあるコンテンツに対し、その悪影響を低減するような変換であり、従って、そのような変換が可能なパラメータ対変換パラメータをルールＤＢ１３に登録しておく。コンテンツ変換の手順としては、まずコンテンツ制御手段１４は、ユーザの状態の各パラメータによってルールＤＢ１３から変換パラメータを取得する。そして、コンテンツ制御手段１４は、コンテンツをその変換パラメータに従い、変換する。例えば、コンテンツの特徴量を画像の輝度とし、変換パラメータを０．７とすると、変換によりコンテンツの画像の輝度の割合を７０％に下げる。
【００２９】
ここで、本実施形態に係るコンテンツ変換処理を数式で説明する。
コンテンツの特徴量をＣ１，Ｃ２，・・・，Ｃｍ（ｍは任意の自然数）とおく。コンテンツ特徴量が十分あれば、その集合はコンテンツを表していると言えるので、ここの説明ではコンテンツＣを次式で表す。
【００３０】
Ｃ＝｛Ｃ１，Ｃ２，・・・，Ｃｍ｝
【００３１】
ところでユーザ状態データの各パラメータをＵ１，Ｕ２，・・・，Ｕｎ（ｎは任意の自然数）とし、コンテンツの特徴量Ｃｋに対する変換パラメータをＲｋとする（ｋ＝１，２，・・・，ｍ）。ここで、Ｒｋは、ユーザ状態の各パラメータから求められる値であり、次式で表せる。
【００３２】
Ｒｋ＝ｆｋ（Ｕ１，Ｕ２，・・・，Ｕｎ）
【００３３】
また、変換後のコンテンツＣ′は、Ｃと同様に次式で表せる。
【００３４】
Ｃ′＝｛Ｃ′１，Ｃ′２，・・・，Ｃ′ｍ｝
【００３５】
ここで、ＣとＣ′の関係は次式のようになる。
【００３６】
Ｃ′ｋ＝ＣｋＲｋ
【００３７】
この場合、ルールＤＢ１３には、コンテンツの各特徴量Ｃ１，Ｃ２，・・・，Ｃｍに対する変換パラメータ、Ｒ１＝ｆ１（Ｕ１，Ｕ２，・・・，Ｕｎ），Ｒ２＝ｆ２（Ｕ１，Ｕ２，・・・，Ｕｎ），・・・，Ｒｍ＝ｆｍ（Ｕ１，Ｕ２，・・・，Ｕｎ）、で表されるＲｋが登録されることになる。
【００３８】
以上の数式を用い、図２を参照して、図１のコンテンツ変換装置におけるコンテンツ変換処理の流れを説明する。
【００３９】
コンテンツがコンテンツ入力手段１１により入力されると（ステップＳ１）、ユーザ状態監視手段１２がユーザの状態Ｕを計測し、ユーザ状態データを取得する（ステップＳ２）。次に、コンテンツ制御手段１４がユーザ状態に合ったルールをルールＤＢ１３にアクセスして検索する（ステップＳ３）。ステップＳ３では、ユーザ状態のデータＵによりルールＤＢ１３を参照し、変換パラメータＲ１，Ｒ２，・・・，Ｒｍを取得する。そして、コンテンツ制御手段１４がルールに基づいてコンテンツを制御する（ステップＳ４）。ステップＳ４では、変換パラメータによりコンテンツを次の式で変換し、ステップＳ４の後、コンテンツ出力手段１５がステップＳ４で変換したコンテンツＣ′を出力する（ステップＳ５）。ここでの変換は、ユーザの身体に悪影響のあるコンテンツに対し、その悪影響を低減するような変換である。なお、コンテンツの入力はステップＳ４の前であればよい。
【００４０】
Ｃ′＝ｇ（Ｃ，Ｒ１，Ｒ２，・・・，Ｒｍ）
【００４１】
本実施形態によれば、視聴者の状態を監視し、それに応じて変換を施すことで、コンテンツの劣化を最小限に抑えて人体に悪影響を及ぼすコンテンツを安全なコンテンツに変換することが可能となる。また、本実施形態では、コンテンツのみによらず、ユーザの状態にも対応してコンテンツの制御を行うため、一部のユーザのみに影響の出るコンテンツに対して影響の出ないユーザは元のままのコンテンツを利用することができる。このように、コンテンツの危険度が視聴者ごとに異なる場合にも、影響を受けにくい視聴者に対して必要以上にコンテンツを劣化させてしまうことなく、コンテンツを各視聴者に対応した必要最低限の劣化で安全に視聴できる装置を実現することが可能となる。
【００４２】
図３は、本発明の他の実施形態に係るコンテンツ変換装置の一構成例を示す図で、図４は、図３のコンテンツ変換装置におけるコンテンツ変換処理の一例を説明するためのフロー図で、本発明の他の実施形態に係るコンテンツ変換方法の一例を説明するためのフロー図でもある。図３において、２はコンテンツ変換装置、２１はコンテンツ入力手段、２２はユーザ状態監視手段、２３はルールＤＢ、２４はコンテンツ制御手段、２５はコンテンツ出力手段、２６はユーザ状態データベース（以下、ユーザ状態ＤＢという）、２７はコンテンツ解析手段である。
【００４３】
本発明の他の実施形態に係るコンテンツ変換装置２は、図１で説明した実施形態に係るコンテンツ変換装置１の構成に、ユーザ状態蓄積手段（ユーザ状態ＤＢ２６で例示）及びコンテンツ解析手段２７が追加された構成となっている。なお、図１におけるコンテンツ入力手段１１，ユーザ状態監視手段１２，ルールＤＢ１３，コンテンツ制御手段１４，コンテンツ出力手段１５は、それぞれ図２におけるコンテンツ入力手段２１，ユーザ状態監視手段２２，ルールＤＢ２３，コンテンツ制御手段２４，コンテンツ出力手段２５に対応し、その詳細な説明を省略する。
【００４４】
ユーザ状態蓄積手段は、ユーザ状態監視手段２２で取得したユーザ状態データを、コンテンツ制御手段２４で変換した後のコンテンツと関連付けて記憶装置に蓄積する。ユーザ状態蓄積手段の例として、ユーザ状態ＤＢ２６及びその記憶装置が挙げられ、また、関連付け方法としては、単に、ユーザ状態データと変換後のコンテンツとを対としてユーザ状態ＤＢ２６に格納することでもよい。好ましくは、ユーザ状態ＤＢ２６には、ユーザ状態データと変換後のコンテンツのコンテンツ特徴量との対を格納するとよい。すなわち、ユーザ状態ＤＢ２６には、ユーザ状態の計測データとその時点で出力されていた変換後のコンテンツの特徴量を関連付けて蓄積することが好ましい。
【００４５】
コンテンツ解析手段２７は、ユーザ状態ＤＢ２６に蓄積されたユーザ状態データ及び変換後のコンテンツから、ユーザの状態と変換後のコンテンツとの因果関係（相関）を解析する。
【００４６】
そして、コンテンツ変換装置２は、さらに、コンテンツ解析手段２７で解析した因果関係をルールＤＢ２３におけるルールデータとして反映する手段を備えることが好ましい。反映の方法としては、例えば、コンテンツ解析手段２７で解析した因果関係から、ユーザに悪影響を与える特徴を抑制する変換パラメータを生成し、その生成したパラメータによりルールＤＢ２３を追加・変更又は削除する。
【００４７】
例えば、コンテンツ特徴量を輝度の最大値が２５５段階中の２５５で、最小値が０であり、輝度の変化の周波数が１０Ｈｚとして、ユーザの状態データをρｍａｘが０．４、縮瞳率が０．３だったとすると、同ユーザ状態が観測されたときには、輝度の最大値を０．８倍して、輝度の最小値は１倍して、輝度の変化の周波数を０．６倍にするという変換パラメータをルールＤＢ２３に格納する。
【００４８】
ここで、本実施形態に係るコンテンツ変換処理を数式で説明する。
まず、ユーザ状態のデータの集合Ｕを以下の式で表し、その時のコンテンツ特徴量の集合Ｃ′も以下の式で表す。また、コンテンツ特徴量の部分集合Ｐを以下の式で表す。
【００４９】
Ｕ＝｛Ｕ１，Ｕ２，・・・，Ｕｎ｝
Ｃ′＝｛Ｃ′１，Ｃ′２，・・・，Ｃ′ｍ｝
Ｐ⊆Ｃ′
【００５０】
このように表すことで、ユーザ状態ＤＢ２６に格納されるデータは、｛Ｕ，Ｐ｝と表せる。
【００５１】
これを解析部はコンテンツ特徴Ｃｋに対する変換パラメータＲｋを以下で求める。
【００５２】
Ｒｋ＝ｇｋ（Ｕ，Ｐ）
【００５３】
ここで、ｇｋはユーザ状態データとコンテンツの特徴量の因果関係を解析するものであり、これは実験などにより得られるものである。こうして得られた次のＲによってルールＤＢ２３を更新する。
【００５４】
Ｒ＝｛Ｒ１，Ｒ２，・・・，Ｒｍ｝
【００５５】
以上の数式を用い、図４を参照して、図３のコンテンツ変換装置におけるコンテンツ変換処理の流れを説明する。ここで説明する実施形態は、図１及び図２を参照して説明した実施形態とは、ユーザ状態の計測データとその時点で出力されていたコンテンツの対を蓄積し、そのコンテンツとユーザ状態の因果関係を解析することが異なる。
【００５６】
コンテンツがコンテンツ入力手段２１により入力されると（ステップＳ１１）、ユーザ状態監視手段２２がユーザの状態Ｕを計測し、ユーザ状態データを取得する（ステップＳ１２）。
【００５７】
また、コンテンツ解析手段２７が、取得したユーザ状態データＵ及び変換後のコンテンツ（変換後のコンテンツ特徴量Ｃ′、若しくはその変換パラメータＲｋが好ましい）と関連付けて｛Ｕ，Ｐ｝として蓄積する（ステップＳ１３）。次に、ステップＳ１３で蓄積されたユーザ状態データＵ及び変換後のコンテンツ（コンテンツ特徴量Ｃ′）のデータ｛Ｕ，Ｐ｝から、ユーザの状態と変換後のコンテンツとの因果関係を解析する（ステップＳ１４）。ここでの解析では、コンテンツ特徴Ｃｋに対する変換パラメータＲｋをＲｋ＝ｇｋ（Ｕ，Ｐ）により求める。なお、ステップＳ１３における蓄積がなされる度にステップＳ１４における解析を実行してもよいし、ある程度のデータが揃った段階で解析を実行するようにしてもよい。次に、反映手段が、ステップＳ１４で解析された結果からルールＲをルールＤＢ２３に反映（追加等）する（ステップＳ１５）。
【００５８】
ステップＳ１３〜Ｓ１５の後、ステップＳ１２で取得したユーザ状態データに基づき、コンテンツ制御手段２４が図２のステップＳ３〜Ｓ５と同様にして反映後のルールＤＢ２３を参照してコンテンツを変換するよう制御し（ステップＳ１６）、変換後のコンテンツを出力する（ステップＳ１７）。なお、ステップＳ１２の段階で、取得したユーザ状態データに基づき、コンテンツ制御手段２４が図２のステップＳ３〜Ｓ５と同様にしてコンテンツを変換し、出力して、それをルールＤＢ２３に反映させるようにしてもよい。
【００５９】
本実施形態によれば、図１及び図２で説明した実施形態に係る効果に加えて、各ユーザに対するコンテンツ制御方法を学習してよりユーザに適したコンテンツ変換が可能となる。
【００６０】
次に、図１乃至図４で説明した各実施形態に係るコンテンツ変換装置を、コンピュータを利用して構成した例を説明する。図５は、一般的な情報処理装置の構成例を示すブロック図で、図中、３１は入力装置、３２は表示装置、３３は出力装置、３４はＣＰＵ、３５はＲＯＭ、３６はＲＡＭ、３７はバスである。ここでのコンピュータとしては、パーソナルコンピュータ（ＰＣ），ＰＤＡ（携帯情報端末），アプリケーション実行可能な携帯電話などが挙げられる。
【００６１】
図１及び図２で説明した実施形態に対応するコンテンツ変換プログラムは、コンピュータを、ユーザの状態を測定機器にて監視した結果を入力する監視結果入力手段と、ユーザの状態に対応したコンテンツ制御方法を規定するルールデータを蓄積するルールデータ蓄積手段と、監視結果入力手段により入力されたユーザの状態に応じて、ルールデータ蓄積手段に蓄積されたルールデータを参照して、そのユーザの身体に悪影響のあるコンテンツを、その悪影響を低減するように変換するコンテンツ制御手段と、の各手段として機能させるプログラムである。
【００６２】
また、図３及び図４で説明した実施形態に対応するコンテンツ変換プログラムは、コンピュータを、監視結果入力手段により入力されたユーザ状態データを、コンテンツ制御手段で変換した後のコンテンツと関連付けて蓄積するユーザ状態蓄積手段と、ユーザ状態蓄積手段で蓄積されたユーザ状態データ及び変換後のコンテンツから、ユーザの状態と変換後のコンテンツとの因果関係を解析するコンテンツ解析手段と、の各手段として機能させるためのプログラムをさらに含むものである。さらに、コンピュータを、コンテンツ解析手段で解析した因果関係をルールデータ蓄積手段におけるルールデータとして反映する手段として、機能させるためのプログラムをさらに含むようにしてもよい。
【００６３】
図５には情報処理装置の構成例の一例を示しているが、情報処理装置として汎用コンピュータで例示すると、各種情報（ユーザ情報やコンテンツ選択情報等）を入力するためのキーボード，マウス，映像受信回路，他の機器からの入力用のネットワーク機器などの入力装置３１、コンテンツやその他の情報を表示するためのＣＲＴ，ＬＣＤなどのディスプレイである表示装置３２、ネットワーク接続装置（ネットワークに接続して通信を行うためのネットワークボード等の通信機器）などの出力装置３３、さらには、コンテンツ変換プログラムを記録したハードディスクやＲＯＭ（Ｒｅａｄ  Ｏｎｌｙ  Ｍｅｍｏｒｙ）３５、そこに格納されたプログラムを実行するためのＣＰＵ（Ｃｅｎｔｒａｌ  Ｐｒｏｃｅｓｓｉｎｇ  Ｕｎｉｔ）３４、及びその実行領域としてのＲＡＭ（Ｒａｎｄｏｍ  Ａｃｃｅｓｓ  Ｍｅｍｏｒｙ）３６をその主要な構成要素とし、それらがバス３７により接続されているものとして例示している。なお、変更が生ずるルールＤＢやユーザ状態ＤＢではそれに応じたＲＯＭ３５となる。
【００６４】
以上、図１乃至図５を参照しながら、本発明の装置，方法，プログラムを中心に各実施形態を説明してきたが、本発明は、コンテンツ変換プログラムを記録したコンピュータ読み取り可能な記録媒体としての形態も採用可能である。
【００６５】
本発明によるコンテンツ変換の機能を実現するためのプログラムやデータを記憶した記録媒体の実施形態を説明する。記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定でき、上述した本発明の各実施形態に係るコンテンツ変換プログラムを、これら記録媒体に記録して流通させることにより、当機能の実現を容易にする。そして、図５で例示したようなコンピュータ等の情報処理装置に、上述のごとくの記録媒体を装着して情報処理装置によりプログラムを読み出すか、若しくは情報処理装置が備えている記録媒体に当プログラムを記憶させておき、必要に応じて読み出すことにより、本発明に係わるコンテンツ変換の機能を実行することができる。
【図面の簡単な説明】
【００６６】
【図１】本発明の一実施形態に係るコンテンツ変換装置の一構成例を示す図である。
【図２】図１のコンテンツ変換装置におけるコンテンツ変換処理の一例を説明するためのフロー図で、本発明の一実施形態に係るコンテンツ変換方法の一例を説明するためのフロー図でもある。
【図３】本発明の他の実施形態に係るコンテンツ変換装置の一構成例を示す図である。
【図４】図３のコンテンツ変換装置におけるコンテンツ変換処理の一例を説明するためのフロー図で、本発明の他の実施形態に係るコンテンツ変換方法の一例を説明するためのフロー図でもある。
【図５】一般的な情報処理装置の構成例を示すブロック図である。
【図６】特許文献１に記載の映像信号の特徴変換装置を示すブロック構成図である。
【符号の説明】
【００６７】
１，２…コンテンツ変換装置、１１，２１…コンテンツ入力手段、１２，２２…ユーザ状態監視手段、１３，２３…ルールデータベース（ルールＤＢ）、１４，２４…コンテンツ制御手段、１５，２５…コンテンツ出力手段、２６…ユーザ状態データベース（ユーザ状態ＤＢ）、２７…コンテンツ解析手段、３１…入力装置、３２…表示装置、３３…出力装置、３４…ＣＰＵ、３５…ＲＯＭ、３６…ＲＡＭ、３７…バス。
【図１】
2006115370.tif 000003
【図２】
2006115370.tif 000004
【図３】
2006115370.tif 000005
【図４】
2006115370.tif 000006
【図５】
2006115370.tif 000007
【図６】
2006115370.tif 000008